【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
異なる所定のジョブ処理を実行するジョブ処理実行手段を備える画像形成装置であって、
前記ジョブ処理実行手段により実行されるジョブ処理履歴をジョブ処理要求者毎に記憶する履歴記憶手段と、
各ジョブ処理要求者が操作表示部に表示すべきジョブ処理履歴表示項目の表示規則を設定する設定手段と、
前記ジョブ処理実行手段に対するジョブ処理要求時に各ジョブ処理要求者を認証する認証手段と、
前記認証手段により要求可能なジョブ処理要求者であると認識された各ジョブ処理要求者の属性を判別する判別手段と、
前記判別手段による判別結果と前記設定手段により設定される表示規則とに基づき、前記履歴記憶手段に記憶されている各要求者のジョブ処理表示態様を異ならしめて操作表示部に表示する制御手段と、
を有することを特徴とする画像形成装置。
【請求項２】
異なる所定のジョブ処理を実行するジョブ処理実行手段と、ウエブサーバ機能処理を実行するウエブサーバとを備え、前記ウエブサーバがネットワーク上で通信可能な情報処理装置のブラウザを介して所定の設定画面を表示可能な画像形成装置であって、
前記ジョブ処理実行手段により実行されるジョブ処理履歴をジョブ処理要求者毎に記憶する履歴記憶手段と、
前記情報処理装置上のブラウザを介して表示される前記所定の設定画面により設定される各ジョブ処理要求者が操作表示部に表示すべきジョブ処理履歴表示項目の表示規則を設定する設定手段と、
前記ジョブ処理実行手段に対するジョブ処理要求時に各ジョブ処理要求者を認証する認証手段と、
前記認証手段により要求可能なジョブ処理要求者であると認識された各ジョブ処理要求者の属性を判別する判別手段と、
前記判別手段による判別結果と前記設定手段により設定される表示規則とに基づき、前記履歴記憶手段に記憶されている各要求者のジョブ処理表示態様を異ならしめて操作表示部に表示する制御手段と、
を有することを特徴とする画像形成装置。
【請求項３】
異なる所定のジョブ処理を実行するジョブ処理実行手段と、ウエブサーバ機能処理を実行するウエブサーバとを備え、前記ウエブサーバがネットワーク上で通信可能な情報処理装置のブラウザを介して所定の設定画面を表示可能な画像形成装置であって、
前記ジョブ処理実行手段により実行されるジョブ処理履歴をジョブ処理要求者毎に記憶する履歴記憶手段と、
前記情報処理装置上のブラウザを介して表示される前記所定の設定画面により設定される各ジョブ処理要求者が操作表示部に表示すべきジョブ処理履歴表示項目の表示規則を設定する設定手段と、
前記情報処理装置上のブラウザを介して表示される前記所定の設定画面により前記ジョブ処理実行手段に対するジョブ処理要求時に各ジョブ処理要求者を認証する認証手段と、
前記認証手段により要求可能なジョブ処理要求者であると認識された各ジョブ処理要求者の属性を判別する判別手段とを備え、
前記ウエブサーバは、前記判別手段による判別結果と前記設定手段により設定される表示規則とに基づき、前記履歴記憶手段に記憶されている各要求者のジョブ処理表示態様を異ならしめて前記情報処理装置上のブラウザを介して表示される前記所定の設定画面に表示可能とすることを特徴とする画像形成装置。
【請求項４】
前記設定手段で設定するジョブ処理履歴表示項目は、ドキュメント名、ユーザ名、日時、部数、カラー、印刷結果、プロトコル、画像形式、データサイズのうち少なくとも１つ以上であることを特徴とする請求項１〜３のいずれかに記載の画像形成装置。
【請求項５】
前記判別手段により判別可能な属性は、各ジョブ処理要求者の権限であることを特徴とする請求項１〜３のいずれかに記載の画像形成装置。
【請求項６】
前記制御手段は、前記判別手段が各ジョブ処理要求者の属性が排他的であると判別した場合、各ジョブ処理要求者により設定された表示規則を無効化して、全てのジョブ処理履歴表示項目を前記操作表示部に表示させることを特徴とする請求項１〜３のいずれかに記載の画像形成装置。
【請求項７】
前記制御手段は、前記判別手段が各ジョブ処理要求者の属性が非排他的であると判別した場合、各ジョブ処理要求者により設定された表示規則を反映して全ジョブ処理履歴表示項目中のいずれかのジョブ処理履歴表示項目を前記操作表示部にマスク表示させることを特徴とする請求項１〜３のいずれかに記載の画像形成装置。
【請求項８】
前記ジョブ処理実行手段は、異なる所定のジョブ処理として、プリント機能処理、スキャナ機能処理、コピー機能処理、データ送受信機能処理のいずれかを実行可能とすることを特徴とする請求項１〜３のいずれかに記載の画像形成装置。
【請求項９】
画像形成装置が備えるサーバ機能により取得される所定の設定画面情報を取得してブラウザを介して表示手段に表示可能な情報処理装置であって、
ジョブ処理要求時に前記所定の設定画面によりジョブ処理要求者を特定するための認証情報を入力する入力手段と、
前記入力される認証情報に基づく認証後、所定の設定画面により各ジョブ処理要求者が前記画像形成装置の操作表示部に表示すべきジョブ処理履歴表示項目の表示規則を設定する設定手段とを備え、
前記ブラウザは、前記設定手段により設定される表示規則に従って前記画像形成装置で決定されているジョブ処理履歴情報を取得して各要求者のジョブ処理履歴を前記所定の設定画面上に異なる態様で表示することを特徴とする情報処理装置。
【請求項１０】
異なる所定のジョブ処理を実行するジョブ処理実行手段と、前記ジョブ処理実行手段により実行されるジョブ処理履歴をジョブ処理要求者毎に記憶する履歴記憶手段とを備える画像形成装置におけるジョブ表示制御方法であって、
各ジョブ処理要求者が操作表示部に表示すべきジョブ処理履歴表示項目の表示規則を設定する設定ステップと、
前記ジョブ処理実行手段に対するジョブ処理要求時に各ジョブ処理要求者を認証する認証ステップと、
前記認証ステップにより要求可能なジョブ処理要求者であると認識された各ジョブ処理要求者の属性を判別する判別ステップと、
前記判別ステップによる判別結果と前記設定ステップにより設定される表示規則とに基づき、前記履歴記憶手段に記憶されている各要求者のジョブ処理表示態様を異ならしめて操作表示部に表示する制御ステップと、
を有することを特徴とするジョブ表示制御方法。
【請求項１１】
異なる所定のジョブ処理を実行するジョブ処理実行手段と、前記ジョブ処理実行手段により実行されるジョブ処理履歴をジョブ処理要求者毎に記憶する履歴記憶手段と、ウエブサーバ機能処理を実行するウエブサーバとを備え、前記ウエブサーバがネットワーク上で通信可能な情報処理装置のブラウザを介して所定の設定画面を表示可能な画像形成装置におけるジョブ表示制御方法であって、
前記情報処理装置上のブラウザを介して表示される前記所定の設定画面により設定される各ジョブ処理要求者が操作表示部に表示すべきジョブ処理履歴表示項目の表示規則を設定する設定ステップと、
前記ジョブ処理実行手段に対するジョブ処理要求時に各ジョブ処理要求者を認証する認証ステップと、
前記認証ステップにより要求可能なジョブ処理要求者であると認識された各ジョブ処理要求者の属性を判別する判別ステップと、
前記判別ステップによる判別結果と前記設定ステップにより設定される表示規則とに基づき、前記履歴記憶手段に記憶されている各要求者のジョブ処理表示態様を異ならしめて操作表示部に表示する制御ステップと、
を有することを特徴とするジョブ表示制御方法。
【請求項１２】
異なる所定のジョブ処理を実行するジョブ処理実行手段と、ウエブサーバ機能処理を実行するウエブサーバと、前記ジョブ処理実行手段により実行されるジョブ処理履歴をジョブ処理要求者毎に記憶する履歴記憶手段と８を備え、前記ウエブサーバがネットワーク上で通信可能な情報処理装置のブラウザを介して所定の設定画面を表示可能な画像形成装置におけるジョブ表示制御方法であって、
前記情報処理装置上のブラウザを介して表示される前記所定の設定画面により設定される各ジョブ処理要求者が操作表示部に表示すべきジョブ処理履歴表示項目の表示規則を設定する設定ステップと、
前記情報処理装置上のブラウザを介して表示される前記所定の設定画面により前記ジョブ処理実行手段に対するジョブ処理要求時に各ジョブ処理要求者を認証する認証ステップと、
前記認証ステップにより要求可能なジョブ処理要求者であると認識された各ジョブ処理要求者の属性を判別する判別ステップとを備え、
前記ウエブサーバは、前記判別ステップによる判別結果と前記設定ステップにより設定される表示規則とに基づき、前記履歴記憶手段に記憶されている各要求者のジョブ処理表示態様を異ならしめて前記情報処理装置上のブラウザを介して表示される前記所定の設定画面に表示可能とすることを特徴とするジョブ表示制御方法。
【請求項１３】
前記設定ステップで設定するジョブ処理履歴表示項目は、ドキュメント名、ユーザ名、日時、部数、カラー、印刷結果、プロトコル、画像形式、データサイズのうち少なくとも１つ以上であることを特徴とする請求項請求項１０〜１２のいずれかに記載のジョブ表示制御方法。
【請求項１４】
前記判別ステップにより判別可能な属性は、各ジョブ処理要求者の権限であることを特徴とする請求項請求項１０〜１２のいずれかに記載のジョブ表示制御方法。
【請求項１５】
前記制御ステップは、前記判別ステップが各ジョブ処理要求者の属性が排他的であると判別した場合、各ジョブ処理要求者により設定された表示規則を無効化して、全てのジョブ処理履歴表示項目を前記操作表示部に表示させることを特徴とする請求項１０〜１２のいずれかに記載のジョブ表示制御方法。
【請求項１６】
前記制御ステップは、前記判別ステップが各ジョブ処理要求者の属性が非排他的であると判別した場合、各ジョブ処理要求者により設定された表示規則を反映して全ジョブ処理履歴表示項目中のいずれかのジョブ処理履歴表示項目を前記操作表示部にマスク表示させることを特徴とする請求項１０〜１２のいずれかに記載のジョブ表示制御方法。
【請求項１７】
画像形成装置が備えるサーバ機能により取得される所定の設定画面情報を取得してブラウザを介して表示手段に表示可能な情報処理装置におけるジョブ表示制御方法であって、
ジョブ処理要求時に前記所定の設定画面によりジョブ処理要求者を特定するための認証情報を入力する入力ステップと、
前記入力される認証情報に基づく認証後、所定の設定画面により各ジョブ処理要求者が前記画像形成装置の操作表示部に表示すべきジョブ処理履歴表示項目の表示規則を設定する設定ステップとを備え、
前記ブラウザは、前記設定ステップにより設定される表示規則に従って前記画像形成装置で決定されているジョブ処理履歴情報を取得して各要求者のジョブ処理履歴を前記所定の設定画面上に異なる態様で表示することを特徴とするジョブ表示制御方法。
【請求項１８】
請求項１０〜１７のいずれかに記載のジョブ表示制御方法を実行させるためのプログラムを格納したことを特徴とするコンピュータが読み取り可能な記憶媒体。
【請求項１９】
請求項１０〜１７のいずれかに記載のジョブ表示制御方法を実行させることを特徴とするプログラム。